(57)【特許請求の範囲】
【請求項１】
先端部にフランジ部を有する円筒状ケーシングと、この円筒状ケーシングのフランジ部に着脱自在に結合され所要の屋内設備プレートに固定される固定部材と、前記円筒状ケーシングの先端部に着脱自在に結合される通気性先端カバー部材と、前記円筒状ケーシング内に配置されるセンサ組付け基板と、さらに前記円筒状ケーシングの後端部に着脱自在に結合され前記センサ組付け基板との電気的接続を行う配線を案内する通気性後部カバー部材とを設けることを特徴とする屋内用センサ取付けユニット。
【請求項２】
固定部材は、円筒状ケーシングを挿通する開口部を設けた屋内設備プレートの外側面において、その内側面に配置したブラケットに対して前記屋内設備プレートを貫通してねじ止め固定し、前記円筒状ケーシングのフランジ部に対して通気性先端カバー部材を結合してなる請求項１記載の屋内用センサ取付けユニット。
【請求項３】
屋内設備プレートの内側面に配置したブラケットに、ラバーマグネットを装着して、磁性体からなる設備プレートの内側面に吸着配置してなる請求項２記載の屋内用センサ取付けユニット。
【請求項４】
円筒状ケーシングは、複数の円筒部材を連結可能に構成してなる請求項１記載の屋内用センサ取付けユニット。
【請求項５】
円筒状ケーシング内には、センサ組付け基板と共にセンサへの吸気を強制的に行う小形ファンユニットを設けてなる請求項１記載の屋内用センサ取付けユニット。
【請求項６】
円筒状ケーシングのフランジ部に、その中心部に先端カバー部材を配置した固定部材を取付け、前記通気性先端カバー部材を挿通する開口部を設けた設備プレートの内側面に前記固定部材を取付けると共に、前記設備プレートの開口部に対してその外側から前記通気性先端カバー部材を案内挿通するスリーブを装着してなる請求項１記載の屋内用センサ取付けユニット。
【請求項７】
円筒状ケーシングのフランジ部に、その中心部に通気性先端カバー部材を配置したマグネットリングからなる固定部材を取付け、前記マグネットリングを前記通気性先端カバー部材を挿通する開口部を設けた磁性体からなる設備プレートの内側表面に吸着配置してなる請求項１記載の屋内用センサ取付けユニット。
【請求項８】
円筒状ケーシングの開口部と一致する開口部を設けた設備プレートの内側面に、円筒状ケーシングのフランジ部を当接し、このフランジ部に対して設備プレートの外側面に前記開口部と一致する開口部を備えた固定プレートを取付け、前記開口部に通気性先端カバー部材を挿通し、さらに円筒状ケーシングの後部側をダクトと連通する箱体に収納配置してなる請求項１記載の屋内用センサ取付けユニット。
【発明の詳細な説明】
【０００１】
【発明の属する技術分野】
本発明は、室内の温度や湿度を自動的に調節する自動空調設備、あるいは煙りまたは火炎等を感知する自動警報設備等において、感知センサの取付けを簡便に行う屋内用センサ取付けユニットに関するものである。
【０００２】
【従来の技術】
例えば室内の温度や湿度等を自動的に調節する自動空調設備においては、室内の温度や湿度等を感知する各種センサを、屋内の天井ないし壁面に取付け配置して室内の温度や湿度を希望する条件に適合するように自動調節制御するように構成されている。
【０００３】
【発明が解決しようとする課題】
しかしながら、これら各種センサの屋内における取付け配置に際しては、その適正な感知を行うために、センサを収納するケーシングの先端部ないしその先端カバーが、屋内の天井ないし壁面より異常に突出し、屋内の装飾的体裁を悪化させる難点がある。
【０００４】
すなわち、この種の屋内用センサ取付けユニットは、その先端部を屋内の天井ないし壁面において、その体裁を考慮して埋め込み配置した場合、センサ機能を十分に発揮させることができず、適正な自動空調制御を達成することができないからである。例えば、単一の前記ユニットにおいては、単一のセンサしか有効に機能させることができず、従って多数のセンサの設置を必要とする場合には、前記ユニットを多数設置する必要があり、屋内の装飾的体裁が益々悪化する難点がある。
【０００５】
また、この場合、前記ユニットの取付けに際しては、屋内の内装が完了した後に施工する場合が多いことから、その作業性の便宜上において屋内の天井ないし壁面の外側より取付けるため、不体裁な状態を回避することができない難点があった。
【０００６】
従って、多数のセンサを必要とする場合は、これらセンサを集合配置した制御ユニットボックスを設け、この制御ユニットボックスを屋内に設置する等の手段が採用されている。
【０００７】
そこで、本発明の目的は、自動空調設備や自動警報設備の設置に際し、必要とされる各種の感知センサの屋内における取付けを、あらゆる屋内の内装に対しても容易にかつ簡便に行うことができると共に、通気性を良好にしてセンサ機能を向上し、しかも屋内の装飾的体裁を低下させることのなく、低コストに製造することができる屋内用センサ取付けユニットを提供することにある。
【０００８】
【課題を解決するための手段】
本発明に係る屋内用センサ取付けユニットは、先端部にフランジ部を有する円筒状ケーシングと、この円筒状ケーシングのフランジ部に着脱自在に結合され所要の屋内設備プレートに固定される固定部材と、前記円筒状ケーシングの先端部に着脱自在に結合される通気性先端カバー部材と、前記円筒状ケーシング内に配置されるセンサ組付け基板と、さらに前記円筒状ケーシングの後端部に着脱自在に結合され前記センサ組付け基板との電気的接続を行う配線を案内する通気性後部カバー部材とを設けることを特徴とする。
【０００９】
この場合、前記固定部材は、円筒状ケーシングを挿通する開口部を設けた屋内設備プレートの外側面において、その内側面に配置したブラケットに対して前記屋内設備プレートを貫通してねじ止め固定し、前記円筒状ケーシングのフランジ部に対して通気性先端カバー部材を結合して構成することができる。
【００１０】
また、前記屋内設備プレートの内側面に配置したブラケットに、ラバーマグネットを装着して、磁性体からなる設備プレートの内側面に吸着配置することができる。
【００１１】
そして、前記円筒状ケーシングは、複数の円筒部材を連結可能に構成することができる。
【００１２】
また、前記円筒状ケーシング内には、センサ組付け基板と共にセンサへの吸気を強制的に行う小形ファンユニットを設けることができる。
【００１３】
さらに、前記円筒状ケーシングのフランジ部に、その中心部に先端カバー部材を配置した固定部材を取付け、前記通気性先端カバー部材を挿通する開口部を設けた設備プレートの内側面に前記固定部材を取付けると共に、前記設備プレートの開口部に対してその外側から前記通気性先端カバー部材を案内挿通するスリーブを装着して構成することができる。
【００１４】
さらにまた、前記円筒状ケーシングのフランジ部に、その中心部に通気性先端カバー部材を配置したマグネットリングからなる固定部材を取付け、前記マグネットリングを前記通気性先端カバー部材を挿通する開口部を設けた磁性体からなる設備プレートの内側面に吸着配置して構成することができる。
【００１５】
そして、前記円筒状ケーシングの開口部と一致する開口部を設けた設備プレートの内側面に、円筒状ケーシングのフランジ部を当接し、このフランジ部に対して設備プレートの外側面に前記開口部と一致する開口部を備えた固定プレートを取付け、前記開口部に通気性先端カバー部材を挿通し、さらに円筒状ケーシングの後部側をダクトと連通する箱体に収納配置して構成することができる。
【００１６】
【実施例】
次に、本発明に係る屋内用センサ取付けユニットの実施例につき、添付図面を参照しながら以下詳細に説明する。
【００１７】
実施例１
図１ないし図４は、本発明に係る屋内用センサ取付けユニットの一実施例を示すものである。すなわち、図１ないし図４において、参照符号１０は円筒状ケーシングを示し、この円筒状ケーシング１０の一端部にはフランジ部１２が設けられている。そして、この円筒状ケーシング１０のフランジ部１２に対しては、適宜通気孔１４を設けた通気性先端カバー部材１６が着脱可能に設けられる。また、前記円筒状ケーシング１０内には、各種センサを組み付けたセンサ組付け基板１８を収納配置する。そして、前記円筒状ケーシング１０の後端部には、前記センサ組付け基板１８との電気的接続を行う配線２０を案内する通孔２２と通気孔２４とを設けた通気性後部カバー部材２６が着脱可能に設けられる。
【００１８】
このように構成される円筒状ケーシング１０の屋内における天井ないしは壁面からなる設備プレート３０ヘの取付けに際しては、まず、設備プレート３０の適所に前記円筒状ケーシング１０を挿通し得る直径の開口部３２を設け、この開口部３２に対して設備プレート３０の内側面にブラケット３４を当接すると共に、設備プレート３０の外側面にリング状の固定部材３６を当接して、これらを止めねじ３８で結合固定する（図２参照）。
【００１９】
このようにして、設備プレート３０に固定部材３６を取付けた後、前記円筒状ケーシング１０にセンサ組付け基板１８を収納し、通気性先端カバー部材１６と通気性後部カバー部材２６とをそれぞれ結合構成したユニットを、前記設備プレート３０の開口部３２に挿通する。そして、前記円筒状ケーシング１０のフランジ部１２と設備プレート３０の固定部材３６との接触面において、これらをねじり結合することにより、図３および図４に示すように、通気性先端カバー部材１６のみが露呈した状態で、本実施例におけるセンサ取付けユニットを簡便に設置することができる。
【００２０】
なお、本実施例のセンサ取付けユニットにおいて、円筒状ケーシング１０には、さらに延長接続可能な円筒部材１０ａ、１０ｂを設けることができる。この場合、多数のセンサを集合配置して長形に構成したセンサ組付け基板１８′を適用する場合に便利である。また、本実施例の屋内用センサ取付けユニットにおいては、円筒状ケーシング１０の内部への吸気作用を円滑にするため、小形ファンユニット４０を収納配置すれば効果的である。
【００２１】
さらに、本実施例のセンサ取付けユニットの取付けに際して、前記設備プレート３０がスチール等の磁性体で構成されている場合には、前記ブラケット３４のプレート当接面に適宜ラバーマグネットを装着して、前記設備プレート３０に吸着保持するように構成すれば好適である。
【００２２】
実施例２
図５ないし図７は、本発明に係る屋内用センサ取付けユニットの別の実施例を示すものである。すなわち、本実施例において、センサ取付けユニットの円筒状ケーシング１０と、センサ組付け基板１８と、通気性後部カバー部材２６とからなる構成は、前記実施例と同一である。従って、同一の構成部分については、同一の参照符号を付して、その説明を省略する。
【００２３】
しかるに、本実施例のセンサ取付けユニットは、円筒状ケーシング１０の一端部に設けたフランジ部１２に対して、中心部に小径の開口部４２を設けた円板状の固定部材４４を設けて、この固定部材４４の開口部４２に適宜通気孔４６を設けた通気性先端カバー部材４８を着脱可能に設けた構成からなる。
【００２４】
そして、本実施例においては、吸音ボード等からなる設備プレート３０に、前記通気性先端カバー部材４８に適合した孔径を有する開口部３２を設けると共に、この開口部３２に前記設備プレート３０の外側面より補強スリーブ５０を挿通する。
【００２５】
このように構成した設備プレート３０に対し、その外側面より前記通気性先端カバー部材４８を装着した固定部材４４を固定具４４ａを介して取付け、さらにこの固定部材４４に対して前記センサ取付けユニットの円筒状ケーシング１０のフランジ部１２をねじり結合することにより、図６および図７に示すように、通気性先端カバー部材４８のみが若干露呈した状態で、前記センサ取付けユニットを簡便に設置することができる。
【００２６】
なお、本実施例においても、前記実施例と同様に、延長接続可能な円筒部材１０ａ、１０ｂの接続、長形に構成したセンサ組付け基板１８′の適用および小形ファンユニット４０の収納配置がそれぞれ可能である。
【００２７】
実施例３
図８ないし図１０は、本発明に係る屋内用センサ取付けユニットのさらに別の実施例を示すものである。すなわち、本実施例においても、センサ取付けユニットの円筒状ケーシング１０と、センサ組付け基板１８と、通気性後部カバー部材２６とからなる構成は、前記実施例と同一である。従って、同一の構成部分については、同一の参照符号を付して、その説明を省略する。
【００２８】
しかるに、本実施例のセンサ取付けユニットは、前記実施例２と同様に、円筒状ケーシング１０の一端部に設けたフランジ部１２に対して、中心部に小径の開口部４２を設けた円板状の固定部材４４を設けて、この固定部材４４の開口部４２に適宜通気孔４６を設けた通気性先端カバー部材４８を着脱可能に設けた構成からなる。
【００２９】
そして、本実施例においては、スチール等の磁性体からなる設備プレート３０に、前記通気性先端カバー部材４８に適合した孔径を有する開口部３２を設けた場合に、前記固定部材４４のプレート接合面にマグネットリング５２を取付けた構成からなる。
【００３０】
従って、本実施例においては、設備プレート３０に対し、その外側面より前記通気性先端カバー部材４８を装着した固定部材４４をマグネットリング５２を介して吸着保持させ、さらにこの固定部材４４に対して前記センサ取付けユニットの円筒状ケーシング１０のフランジ部１２をねじり結合することにより、図９および図１０に示すように、通気性先端カバー部材４８のみが若干露呈した状態で、前記センサ取付けユニットを簡便に設置することができる。
【００３１】
なお、本実施例においても、前記実施例と同様に、延長接続可能な円筒部材１０ａ、１０ｂの接続、長形に構成したセンサ組付け基板１８′の適用および小形ファンユニット４０の収納配置がそれぞれ可能である。
【００３２】
実施例４
図１１および図１３は、本発明に係る屋内用センサ取付けユニットの他の実施例を示すものである。すなわち、本実施例においても、センサ取付けユニットの円筒状ケーシング１０と、センサ組付け基板１８と、通気性後部カバー部材２６とからなる構成は、前記実施例と同一である。
【００３３】
しかるに、本実施例のセンサ取付けユニットは、設備プレート３０に、円筒状ケーシング１０の内径と対応する孔径を有する開口部３２を設け、この開口部３２とほぼ同径の中心開口部５４を有する固定プレート５６を設け、さらに前記開口部３２および５４を挿通する円筒部５８ａとフランジ部５８ｂを備え、適宜通気孔５８ｃを穿設した通気性先端カバー部材６０を設ける。
【００３４】
しかるに、本実施例のセンサ取付けユニットは、設備プレート３０の開口部３２において、その内側面に円筒状ケーシング１０のフランジ部１２を当接し、また内側面に前記固定プレート５６を介して通気性先端カバー部材６０を挿通し、この通気性先端カバー部材６０の円筒部５８ａを円筒状ケーシング１０の内径部に着脱可能にねじ結合することにより、図１２および図１３に示すように、通気性先端カバー部材６０が露呈した状態で、前記センサ取付けユニットを簡便に設置することができる。
【００３５】
なお、本実施例においては、設備プレート３０の内側面において、例えば断熱部材で囲繞した密閉箱体６２の内部に収納配置し、さらにこの密閉箱体６２をダクト６４を介してセンサ組付け基板１８との電気的接続を行う配線２０の案内と、吸気の案内とを、円滑に行うことが可能となる。
【００３６】
また、本実施例においても、前記各実施例と同様に、延長接続可能な円筒部材１０ａ、１０ｂの接続および小形ファンユニット４０の収納配置がそれぞれ可能である。
【００３７】
以上、本発明の好適な実施例について説明したが、本発明は前記実施例に限定されることなく、本発明の精神を逸脱しない範囲内において種々の設計変更をなし得ることは勿論である。
【００３８】
【発明の効果】
前述した実施例から明らかなように、本発明に係る屋内用センサ取付けユニットは、先端部にフランジ部を有する円筒状ケーシングと、この円筒状ケーシングのフランジ部に着脱自在に結合され所要の屋内設備プレートに固定される固定部材と、前記円筒状ケーシングの先端部に着脱自在に結合される通気性先端カバー部材と、前記円筒状ケーシング内に配置されるセンサ組付け基板と、さらに前記円筒状ケーシングの後端部に着脱自在に結合され前記センサ組付け基板との電気的接続を行う配線を案内する通気性後部カバー部材とを設けた構成とすることにより、自動空調設備や自動警報設備の設置に際し、必要とされる各種の感知センサの屋内における取付けを、あらゆる屋内の内装に対しても容易にかつ簡便に行うことができると共に、通気性を良好にしてセンサ機能を向上し、しかも屋内の装飾的体裁を低下させることのなく、低コストに製造することができる。
【図面の簡単な説明】
【図１】本発明に係る屋内用センサ取付けユニットの一実施例を示す分解斜視図である。
【図２】図１に示す屋内用センサ取付けユニットの設備プレートの取付け状態を示す要部斜視図である。
【図３】図１に示す屋内用センサ取付けユニットの通気性先端カバー部材の取付け状態を示す要部斜視図である。
【図４】図１に示す屋内用センサ取付けユニットの組立て状態を示す要部断面図である。
【図５】本発明に係る屋内用センサ取付けユニットの別の実施例を示す分解斜視図である。
【図６】図５に示す屋内用センサ取付けユニットの通気性先端カバー部材の取付け状態を示す要部斜視図である。
【図７】図５に示す屋内用センサ取付けユニットの組立て状態を示す要部断面図である。
【図８】本発明に係る屋内用センサ取付けユニットのさらに別の実施例を示す分解斜視図である。
【図９】図８に示す屋内用センサ取付けユニットの通気性先端カバー部材の取付け状態を示す要部斜視図である。
【図１０】図８に示す屋内用センサ取付けユニットの組立て状態を示す要部断面図である。
【図１１】本発明に係る屋内用センサ取付けユニットの他の実施例を示す分解斜視図である。
【図１２】図１１に示す屋内用センサ取付けユニットの通気性先端カバー部材の取付け状態を示す要部斜視図である。
【図１３】図１１に示す屋内用センサ取付けユニットの組立て状態を示す要部断面図である。
【符号の説明】
１０  円筒状ケーシング
１０ａ、１０ｂ  円筒部材
１２  フランジ部
１４  通気孔
１６  通気性先端カバー部材
１８  センサ組付け基板
１８′  センサ組付け基板（長形）
２０  配線
２２  通孔
２４  通気孔
２６  通気性後部カバー部材
３０  設備プレート
３２  開口部
３４  ブラケット
３６  固定部材（リング状）
３８  止めねじ
４０  小形ファンユニット
４２  小径の開口部
４４  固定部材（円板状）
４４ａ  固定具
４６  通気孔
４８  通気性先端カバー部材
５０  補強スリーブ
５２  マグネットリング
５４  中心開口部
５６  固定プレート
５８ａ  円筒部
５８ｂ  フランジ部
５８ｃ  通気孔
６０  通気性先端カバー部材
６２  箱体
６４  ダクト
【図１】
0003583863.tif 000002
【図２】
0003583863.tif 000003
【図３】
0003583863.tif 000004
【図４】
0003583863.tif 000005
【図５】
0003583863.tif 000006
【図６】
0003583863.tif 000007
【図７】
0003583863.tif 000008
【図８】
0003583863.tif 000009
【図９】
0003583863.tif 000010
【図１０】
0003583863.tif 000011
【図１１】
0003583863.tif 000012
【図１２】
0003583863.tif 000013
【図１３】
0003583863.tif 000014